(57)【要約】【課題】  背中の手の届かない箇所や身体全体の皮膚で痒みや痛みなど、その他で起こる皮膚の病状に、人の手を借りずにできる。  本発明は、自分で身体全体に塗るための塗り手ローラーを提供する。【解決手段】  開口した台形状のアームの先端にソフトに仕上げたローラーを付け、このアームとローラーが、一体に３６０度回転し、自由自在にアームをどこの箇所でも自由に止めて塗る事ができることを特徴とする塗り手ローラー。【選択図】図１
2012045349.tif 000002
【特許請求の範囲】
【請求項１】
主に台座とローラーとアームから構成される塗り手ローラーにおいて、
開口した台形状のアームのアーム長手部にローラーを差込み、フクロナットで締め留めて、ローラーは、クッション材を使用し表面に布生地を巻きつけ、又、ローラーの両側面にフクロナットをはめ込む凹み部を設け、フクロナットの外側面に差し込むコインの厚さ程度の幅のマイナス溝を設け、フクロナットの留め外しでローラーを取替えができ、また台座に歯車用ホゾ切を設け、ホゾ切りの中央で十字に交差する形で、台座の両側面を貫通するアーム差込み口と台座先端面を貫通する止め螺子穴とを設けて、歯車用ホゾ切の中に螺子込用ナットを固定し更に歯車を入れて、アーム短手部を台座のアーム差込口から差込み歯車穴を通って台座側面を貫通させ、歯車の天頂部に設けたイモ螺子穴からイモ螺子を差し込んで、歯車とアーム短手部を一体的に固定して、アームは、止め螺子と歯車によって調整され、持ち手を挟んでほぼ３６０度自由に回転し、又、止めることができ、更に台座の上面に孫の手ぐらいの長さ（４５ｃｍ）の持ち手を取り付け、持ち手は折り曲げ部で短く折り曲げが可能であることを特徴とする塗り手ローラー。
【発明の詳細な説明】
【技術分野】
【０００１】  本発明は、身体の手の届かない痒い箇所を人の手を借りる事なく、薬を塗り込んだりまた、掻きたい箇所を擦ったりして痒みを和らげるための健康用具である。
【背景技術】
【０００２】  肌の痒みに悩んでいる老人が増えています。指、爪で掻いたり、身近な人に頼んだり、孫の手を利用したりして、なんとか済ましている。また、持ち手の先にブラシやローラーを付け替えて利用する用具も出願されている（特許文献１参照）
【先行技術文献】
【０００３】
【特許文献１】  特許公開２００７−１６００４７号公報
【発明の概要】
【発明が解決しようとする課題】
【０００４】（イ）痒いためについ、汚れた、指や爪で引っ掻くと炎症を起こすケースが多い。
（ロ）痒い所を孫の手で掻くと、先端の手の部分が硬いため、肌を引っ掻いてキズ付けて    しまい、さらに強い痛みとなり、皮膚炎を起こしやすくなる。
（ハ）持ち手の先にブラシを付けた用具が出願されているが、ブラシでゴシゴシ擦ると、    老人は、皮膚が弱いため、皮膚にキズがついて炎症を起こしてしまう。
（ニ）手の上りにくい人は、背中の痒い所や脇の箇所などに塗る場合、持ち手の先のブラ    シに薬を付けるが、ブラシの角度が自由にならない為に局部に届かないこともある。
（ホ）薬の種類により、ブラシの種類がいろいろと多くあり、選択するのが不便である。
（ヘ）病状により皮膚の一部に、ブラシに薬をぬって試し、そのブラシに問題があるかど    うかの試し時間を必要とするのは不便である。
本発明は、以上の問題点を解決するためになされたものである。
【課題を解決するための手段】
【０００５】  主に台座とローラーとアームから構成される塗り手ローラーにおいて、
開口した台形状のアームの長手部にローラーを差込み、フクロナットで締め留める。
ローラーは、クッション材を使用し表面に布生地を巻きつける。又、ローラーの両側面にフクロナットをはめ込む凹み部を設ける。
フクロナットの外側面に、差し込むコインの厚さ程度の幅のマイナス溝を設けて、フクロナットの留め外しでローラーを取替えたりする。
台座に歯車用ホゾ切を設ける。ホゾ切りの中央で十字に交差する形で、台座の両側面を貫通するアーム差込み口と台座先端面を貫通する止め螺子穴とを設ける。
歯車用ホゾ切の中に螺子込用ナットを固定し、更に歯車を入れる。
アーム短手部を台座のアーム差込口から差込み、歯車穴を通って台座側面を貫通させ、歯車の天頂部に設けたイモ螺子穴からイモ螺子を差し込んで、歯車とアーム短手部を一体的に固定する。
アームは、止め螺子と歯車によって調整され、持ち手を挟んでほぼ３６０度自由に回転し、又、止めることができる。台座の上面に孫の手ぐらいの長さ（約４５ｃｍ）の持ち手を取り付ける。持ち手は折り曲げ部で短く折り曲げることができる。
以上の構成よりなる塗り手ローラー
【発明の効果】
【０００６】（イ）ローラーがソフト仕上げのため、肌にキズを付けずに使用できる。
（ロ）身体全体のあらゆる、通常手の届かない箇所も含めて痒みやキズなどに薬を塗る時    、誰の手も借りずに安全、清潔、手軽且つ優しく塗ることができる。
（ハ）開口した台形状のアームとローラーが一体になり、アームが３６０度回転できる事    により身体全体の使用したい角度で、手の上がらない人でも自由自在に止める事が出    来て、どこの箇所でも楽に塗る事ができる。
（ニ）また、ローラー部分をシリコン樹脂等にすると、洗う事もできる。
【図面の簡単な説明】
【０００７】
【図１】本発明の斜視図
【図２】本発明の一部であるローラーと開口した台形状のアームの分解斜視図
【図３】本発明の一部である台座と歯車と持ち手の分解斜視図
【図４】本発明の一部である持ち手の折り曲げ部を示す斜視図
【発明を実施するための形態】
【０００８】    以下、本発明の実施の形態を説明する。
主に台座（９）とローラー（２）とアーム（１）から構成される塗り手ローラーにおいて、開口した台形状のアーム（１）のアーム長手部（１９）にローラー（２）を差込み、フクロナット（３）で締め留める。
ローラー（２）は、クッション材（４）を使用し表面に布生地（５）を巻きつける。又、ローラー（２）の両側面にフクロナット（３）をはめ込む凹み部（１７）を設ける。
フクロナット（３）の外側面に差し込むコインの厚さ程度の幅のマイナス溝を設けて、フクロナット（３）の留め外しでローラー（２）を取替えたりする。
台座（９）に歯車用ホゾ切（６）を設ける。ホゾ切り（６）の中央で十字に交差する形で、台座（９）の両側面を貫通するアーム差込み口（７）と台座先端面（１８）を貫通する止め螺子穴（８）とを設ける。
歯車用ホゾ切（６）の中に螺子込用ナット（１４）を固定し更に歯車（１０）を入れる。
アーム短手部（２０）を台座（９）のアーム差込口（７）から差込み歯車穴（１１）を通って台座側面を貫通させ、歯車（１０）の天頂部に設けたイモ螺子穴（２１）からイモ螺子（１２）を差し込んで、歯車（１０）とアーム短手部（２０）を一体的に固定する。
アーム（１）は、止め螺子（１３）と歯車（１０）によって調整され、持ち手（１５）を挟んでほぼ３６０度自由に回転し、又、止めることができる。台座（９）の上面に孫の手ぐらいの長さ（約４５ｃｍ）の持ち手（１５）を取り付ける。持ち手（１５）は折り曲げ部（１６）で短く折り曲げることができる。
本発明は、以上のような構造である。
本発明を使用するときは、アーム（１）が、３６０度回転でき、アーム（１）を止め螺子（１３）によって、使用したい角度で自由自在に、止める事が出来るのでローラー（２）に軟膏、痒み止め薬などを塗って、痒い箇所を転がして塗ったり、擦ったりして、痒みが解消できる。
身体の手の届かない所でも、持ち手（１５）で、自由自在に一人で簡単に塗れることができる。
また持ち手（１５）の折り曲げ部（１６）で折りたたむと、コンパクトになり携帯用にも便利である。
持ち手（１５）を折りたたみ式でなく、段階的な伸縮式にしても、同様の効果が得られる。
【符号の説明】
【０００９】（１）アーム  （２）ローラー  （３）フクロナット  （４）クッション材
（５）布生地  （６）歯車用ホゾ切  （７）アーム差込み口  （８）止め螺子穴
（９）台座  （１０）歯車  （１１）歯車穴  （１２）イモ螺子  （１３）止め螺子
（１４）螺子込用ナット  （１５）持ち手  （１６）折り曲げ部  （１７）凹み部
（１８）台座先端面  （１９）アーム長手部  （２０）アーム短手部
（２１）イモ螺子穴
【図１】
2012045349.tif 000003
【図２】
2012045349.tif 000004
【図３】
2012045349.tif 000005
【図４】
2012045349.tif 000006